(57)【要約】【課題】従来の情報端末に搭載されているカメラは、焦点距離が例えば０．３〜∞ｍに固定されており、近距離に焦点を合わせることができなかった。特に、いわゆる接写と呼ばれる、被写体から数ｍｍ〜数ｃｍしか離れていない位置からの撮影ができなかった。またカメラの画角（すなわち、狭角や広角）やレンズの色等も撮影者が任意に変えることができなかった。【解決手段】付勢力によってカメラの撮影部１５にレンズ２１を取り付けるようにした。【選択図】図１０
2004102315.tif 000002
【特許請求の範囲】
【請求項１】
　光を透過するレンズ本体部と、
　前記レンズ本体部と撮影機の撮影部とを付勢力によって取り付ける取付手段とからなることを特徴とするレンズ。
【請求項２】
　前記取付手段は、バネまたはクリップまたは撮影機に被せるカバーであることを特徴とする請求項１に記載のレンズ。
【発明の詳細な説明】
【技術分野】
【０００１】
　本発明は、カメラ、特に、例えば携帯電話機やノート型パーソナルコンピュータ（以下、ノート型ＰＣと称する）やパーソナルデータアシスタント（電子手帳等を含み、以下、ＰＤＡと称する）等の情報端末に搭載されているピンホール型のカメラ、または、インスタントカメラ、ディジタルカメラ等のハンディ型のカメラ、または、投影機等に関する。
【背景技術】
【０００２】
　近年、ピンホール型のカメラが、例えば携帯電話機やノート型ＰＣやＰＤＡ等の情報端末に搭載されるようになってきた（例えば、特許文献１参照）。
【特許文献１】特開２０００−１８４０１３号公報（段落０００２、図２）
【発明の開示】
【発明が解決しようとする課題】
【０００３】
　しかしながら、これら情報端末に搭載されているカメラは、焦点距離が例えば０．３〜∞ｍに固定されており、近距離に焦点を合わせることができなかった。特に、いわゆる接写と呼ばれる、被写体から数ｍｍ〜数ｃｍしか離れていない位置からの撮影ができなかった。またカメラの画角（すなわち、狭角や広角）やレンズの色等も撮影者が任意に変えることができなかった。本発明はこれらの課題を解決することを目的とする。
【０００４】
　なお、既に、いわゆるオートフォーカス機能を持つカメラを搭載した情報端末が存在する。しかしながら、このような情報端末は、接写が可能なレンズを搭載しておらず、レンズの限界を超えて近距離に焦点を合わせることができなかった。また、構成が複雑なため、装置の大型化や、高価格化、故障率の上昇等といった不具合もある。また、既に多数の、焦点距離や画角が固定されたカメラを搭載した情報端末が普及しており、これらに搭載されたカメラを取り替えることはできない。本発明は、これら既に多数普及している情報端末に搭載されたカメラに対しても対応できるものである。
【０００５】
　また、インスタントカメラやディジタルカメラ等のハンディ型のカメラにおいては、レンズの構成に合わせてカメラの撮影部周辺の構成を変更する技術や、特殊なアダプタを用いてレンズを取り付ける技術が存在する。しかしながら、前者は、レンズが取り付けできるように撮影部周辺の構成を加工する必要があるため、カメラを高価格化させることになるし、レンズが個々のカメラ専用となるため、機種の異なるカメラ間での使い回しができない場合がある。後者は、アダプタが取り付けできるように撮影部周辺の構成を加工する必要があるため、カメラを高価格化させることになるし、部品点数が多くなるため、構造が複雑で取り外しが容易でなく、また持ち運びが不便である。本発明は、このようなハンディ型のカメラにおける課題をも解決するものである。
【課題を解決するための手段】
【０００６】
　上記課題を解決するためにこの発明に係るレンズは、光を透過するレンズ本体部と、レンズ本体部と撮影機の撮影部または表示部とを粘着力によって取り付ける粘着部材とからなり、粘着部材は、弾性を有し、撮影機の形状またはレンズ本体部の形状を吸収して撮影機およびレンズ本体部に取り付けることを特徴とする。これにより、この発明は、レンズ本体部を、撮影機の形状を問わずに、取り付けることができるとともに、レンズ本体部を撮影機から剥がす際に、粘着部材を撮影機に残すことなく剥がすことができる。
【０００７】
　この発明に係るレンズは、例えば、レンズ本体部と撮影機の撮影部との間に、合焦点位置を設定するためのシートや治具が挿入された状態で、レンズ本体部とシートや治具と撮影機の撮影部とが固定されるようにしてもよい。または、厚さの異なるレンズ本体部が用いられるようにしてもよい。または、複数のレンズ本体部が重ねて固定されるようにしてもよい。これにより、この発明に係るレンズは、合焦点位置を好適に設定することができる。
【０００８】
　また、別の発明に係るレンズは、光を透過するレンズ本体部と、レンズ本体部を吸着力によって撮影機の撮影部に取り付ける吸盤とからなることを特徴とする。なお、吸盤の代わりに、マグネットにしてもよい。または、摩擦力を用いた取付手段にしてもよい。または、付勢力を用いた取付手段にしてもよい。これにより、別の発明は、レンズ本体部を撮影機の撮影部に容易に取り付けることができる。
【発明の効果】
【０００９】
　この発明は、撮影者が、簡易な操作で、近距離に焦点を合わせたり、画角を変えたりすることができるという効果を有する。
【発明を実施するための最良の形態】
【００１０】
　この発明は、種々の撮影機、例えば携帯電話機やノート型ＰＣやＰＤＡ（電子手帳を含む）等の情報端末に搭載されているピンホール型のカメラ、または、インスタントカメラやディジタルカメラ等のハンディ型のカメラ、または、投影機等に適用が可能である。
【００１１】
　以下、情報端末に搭載されるカメラを一例として、図面を参照してこの発明の実施の形態を説明する。なお、各図はこの発明を理解できる程度に概略的に示してあるにすぎない。また、各図において、共通する要素については、同一の符号を付し、説明を省略する。
【００１２】
　＜第１の実施の形態＞
　第１の実施の形態に係るレンズは、粘着力によって上記したカメラの撮影部に取り付けるようにしたものである。以下に、図１〜図５を用いて第１の実施の形態を説明する。なお、図１は第１の実施の形態に係るレンズの適用例を示す図で、図２は第１の実施の形態に係るレンズの斜視図で、図３は本発明に係るレンズの取り付けによる作用を示す図で、図４は合焦点位置を変える手法を示す図で、図５は画角を変える手法を示す図である。
【００１３】
　図１に示されるように、携帯電話機やノート型ＰＣやＰＤＡ（電子手帳を含む）等の情報端末１１（図１の例では携帯電話機）に搭載されたカメラや、インスタントカメラやディジタルカメラ等のハンディ型のカメラ１３は、画像を内部に取り込む撮影部１５を有している。撮影部１５は、内部に画像を結像する結像素子（図示せず）やレンズ１７等が配置され、外部にこれらを保護するカバー１９が配置されている。なお、カバー１９は、透明なガラスまたはプラスチック等の素材で構成されていて、光を透過させることができる。このカバー１９は排除することが可能である。また、情報端末１１やハンディ型のカメラ１３は、この発明に係るレンズが好適に取り付けられるように、レンズと接触する部分が平坦に形成されていることが好ましい。
【００１４】
　以下、情報端末１１の場合について説明するが、ディジタルカメラにおいても同様である。
【００１５】
　この発明に係るレンズは、いわゆる水晶体と称される、光を透過するレンズ本体部２１と、粘着部材２３とからなる。レンズ本体部２１は、透明性を有するガラスまたはプラスチック等の素材で構成されており、外部の光景（例えば被写体２７のような画像）を情報端末１１内部の結像素子（図示せず）に導く。なお、レンズ本体部２１は、後述するように着色されている場合がある。また、レンズ本体部２１は、屈折率が０の、いわゆる度がないレンズである場合もある。粘着部材２３は、シート状の媒体に粘着剤を塗布したものである。粘着部材２３は、レンズ本体部２１を粘着力によって撮影部１５に取り付けるための取付手段として機能し、撮影部１５のカバー１９に取り付けられる（ただし、撮影部１５からカバー１９が排除されている場合は、レンズ１７やその周囲の筐体に取り付けられることになる）。粘着部材２３は、撮影機の撮影部１５と着脱自在で、かつレンズ本体部２１とも着脱自在に構成されている。シート状の媒体は例えばポリウレタンのようなプラスチック素材や紙等から構成される。粘着部材２３の、シート状の媒体は、撮影部１５への取り付けのし易さを考慮して弾性を持たせるのが望ましい。これにより、撮影部１５に段差がある場合もそれを吸収して取り付けることが可能になる。また、これにより、レンズ本体部２１の円弧も吸収することができるので、様々な種類のレンズ本体部２１に取り付けることが可能になる。なお、粘着部材２３は、シート状の媒体自体には粘着性を持たせずに、シート状の媒体の両面に粘着性を有するテープを貼り付けることによって形成することが可能である。またシート状の媒体を使わずに、粘着剤をシート状に加工することによって形成することも可能である。
【００１６】
　係るレンズの２つの具体的な構成を図２に示す。図２（ａ）は、第１の実施の形態に係るレンズの第１の構成例を示しており、図２（ｂ）は第２の構成例を示している。図２（ａ）に示される第１の構成例に係る粘着部材２３は、光を透過できるように透明性を有する素材で、かつレンズ本体部２１とほぼ同形状／ほぼ同じ大きさで構成されている。他方、図２（ｂ）に示される第２の構成例に係る粘着部材２３は、レンズ本体部２１とほぼ同形状でかつほぼ同じ大きさに構成され、その内側には、撮影部１５に取り入れられる光を遮らないようにするための穴２５が設けられている。なお、図２（ｂ）に示される第２の構成例に係る粘着部材２３は、光を透過するための穴２５が設けられているため、透明性を有する素材で構成する必要はない。その代わりに、穴２５は、カメラが撮影する画像内に粘着部材２３が写り込まない程度以上の大きさにすることが望ましい。
【００１７】
　係るレンズの取り付けによる作用を図３に示す。図３（ａ）はレンズの未装着時における例を示しており、図３（ｂ）はレンズの装着時における例を示している。なお、図３（ｂ）の例は、図２（ａ）及び図２（ｂ）に示される第１、第２の構成例とは別の第３の構成例を示している。第３の構成例とは、すなわち、粘着部材２３を、レンズ本体部２１よりも大きく形成し、その内側にレンズ本体部２１を嵌め込む穴２５を設けるとともに、カバー１９と対向する面にのみ粘着性を持たせたものである。
【００１８】
　図３（ａ）の例では、レンズ１７の焦点位置が被写体２７よりも遠くに存在し、焦点が被写体２７に合っていない。このような状態において、図示しない結像素子に結像される画像は、輪郭が不鮮明な、いわゆるピントがぼけたものとなる。
【００１９】
　他方、図３（ｂ）の例では、焦点位置がカバー１９にこの発明に係るレンズ（第１の実施の形態においてはレンズ本体部２１と粘着部材２３）を取り付けることにより被写体２７上に存在するようになり、焦点が被写体２７に合っている。このような状態において、図示しない結像素子に結像される画像は、輪郭が鮮明なものとなる。なお、図３（ｂ）の例では、焦点位置を近くするための凸状の、いわゆる接写レンズを用いている。焦点位置を遠くする場合は、凹状の、いわゆる望遠レンズを用いることになる。
【００２０】
　係るレンズを用いて合焦点位置を変える手法を図４に示す。図４（ａ）は厚さの異なるレンズを用いることによって合焦点位置を変える例を示しており、図４（ｂ）は粘着部材２３の枚数を変えることによって合焦点位置を変える例を示している。なお、図４（ａ）と図４（ｂ）に示される粘着部材２３は、図２（ｂ）と同じものを用いている。また、図４（ａ）と図４（ｂ）中のレンズ１７から被写体２７までの距離は同じである。
【００２１】
　図４（ａ）に示される例では、固有の倍率を有する複数のレンズ本体部２１の中から特定の倍率のものを選択し、これにより焦点を被写体２７上に合わせている。
【００２２】
　他方、図４（ｂ）に示される例では、図４（ａ）に示される例におけるレンズ本体部２１よりも厚さの薄いレンズ本体部２１を用い、その代わりに、カバー１９とレンズ本体部２１の間に粘着部材２３を重ねて配置している。これにより、レンズ１７とレンズ本体部２１との距離を図４（ａ）に示される例の距離よりも大きくし、焦点を被写体２７上に合わせている。なお、粘着部材２３を重ねて配置するのではなく、粘着部材２３の厚さを変えることによっても、同様の効果を得ることができる。
【００２３】
　図４（ｂ）に示される例は、レンズ１７とレンズ本体部２１との距離を大きくすれば倍率が上がり、距離を小さくすれば下げることができる。そのため、撮影者は、粘着部材２３の枚数を任意の枚数にすることにより、焦点を被写体２７上に合わせることができる。したがって、図４（ｂ）に示される例は、図４（ａ）のような固有の倍率を有するレンズを複数用意しなくてもよく、また粘着部材２３はレンズ本体部２１よりも安価に製造することができるので、図４（ａ）に示される例よりも安価に提供することができる。
【００２４】
　このように、第１の実施の形態では、撮影者が任意に合焦点位置を変えることができる。特に、例えば文字等の情報を近距離で接写するような場合に、以下のような理由により有効である。
【００２５】
　すなわち、近年、インターネット等の通信技術の普及に伴い、書籍やレポート、案内板、新聞記事、地図等に記載された文字等の情報を情報端末１１に取り込むことが要求されるようになってきた。しかしながら、従来のような、情報端末１１に搭載されているカメラでは、人物や風景が撮影の対象となるように設定されているため、数センチ程度の近距離に焦点を合わせることができない。つまり、文字全体にピントが合った画像を取得しようとすれば人間が認識できない程度の小さな画像しか取得できず、逆に、認識できる程度の大きさの画像を取得しようとすればピントがずれた画像しか取得できなかった。このように、従来のカメラで書籍等から撮影した文字等の情報は、人間が認識できない程度の小さな画像になるか、ピントがずれた画像になるため、電子ファイルとして保存しても有効に活用することができなかった。また、仮に、文字等の情報を遠隔地に伝送するような場合に、従来の焦点距離が固定されたカメラで取得したものでは活用することができないので、撮影者が、文字をタイプしたりスキャナで読み込む等して、閲覧可能なデータに変換して伝送する必要があった。そのため、データ変換のための時間と労力が生じていた。
【００２６】
　また、例えば遠隔診療システムにおいては、医師がパーソナルコンピュータ等に接続したカメラで遠方にいる患者の患部を診察しようとしても、患部を鮮明に見ることができず、満足に診療することができなかった。
【００２７】
　第１の実施の形態では、簡易な操作で、認識できる程度の大きさで、かつピントが合った画像を取得することができるので、これらの課題をも解決することができる。そのため、上記のような場合に特に有効である。
【００２８】
　次に、係るレンズを用いて画角を変える手法を図５に示す。図５（ａ）はレンズの未装着時における例を示しており、図５（ｂ）はレンズの装着時における例を示している。
【００２９】
　図５（ａ）の例では、レンズ１７の画角が標準的な正対角となっている。
【００３０】
　他方、図５（ｂ）の例では、画角が、カバー１９にこの発明に係るレンズ（第１の実施の形態においてはレンズ本体部２１と粘着部材２３）を取り付けることにより、広角になっている。なお、図５（ｂ）の例では、画角を広げるための凹状の、いわゆる広角レンズを用いている。画角を狭くする場合は、凸状の、いわゆる狭角レンズを用いることになる。
【００３１】
　このように第１の実施の形態では、撮影者が任意に画角を変えることができる。
【００３２】
　以上の通り、第１の実施の形態では、撮影者が、簡易な操作で、近距離に焦点を合わせたり、画角を変えたりすることができる。また、カメラの撮影部１５を覆うため、撮影部１５周辺に傷がつくのを防ぐことができ、撮影部１５を保護するカバーとしても利用することができる。
【００３３】
　＜第２の実施の形態＞
　第２の実施の形態に係るレンズは、吸盤やマグネット等の吸着力によって上記したカメラの撮影部１５に取り付けるようにしたものである。以下に、図６を用いて第２の実施の形態を説明する。なお、図６は第２の実施の形態に係るレンズの横断面図である。
【００３４】
　例えば、図６に示されるように、レンズ本体部２１には取付手段としての吸盤２９が取り付けられている。吸盤２９はゴム等の可撓性を有する部材で構成されている。カメラの撮影部へのレンズの取り付けは、撮影者がカバー１９上の平板状な領域に吸盤２９を対向させて押し付けることによりなされる。このとき、吸盤２９内部の空気が外部に吐き出され、これにより内部の圧力が外部の圧力よりも低くなり、吸盤２９がカバー１９に接合する。なお、吸盤２９は、レンズ本体部２１から取り外しできないようにレンズ本体部２１に固着しても構わないし、脱着可能にしても構わない。なお、図６に示される例では吸盤２９によってレンズをカメラの撮影部１５に取り付けているが、吸盤２９の代わりにマグネットを用いてもよい。
【００３５】
　以上の通り、第２の実施の形態では、第１の実施の形態と同様に、撮影者が、簡易な操作で、近距離に焦点を合わせたり、画角を変えたりすることができる。また、カメラの撮影部１５を覆うため、撮影部１５周辺に傷がつくのを防ぐことができ、撮影部１５を保護するカバーとしても利用することができる。
【００３６】
　＜第３の実施の形態＞
　第３の実施の形態に係るレンズは、摩擦力によって上記したカメラの撮影部１５に取り付けるようにしたものである。以下に、図７〜図９を用いて第３の実施の形態を説明する。なお、図７は第３の実施の形態に係るレンズの横断面図、図８は第３の実施の形態に係るレンズの第１の変形例を示す図、図９は第３の実施の形態に係るレンズの第２の変形例を示す図である。
【００３７】
　図７（ａ）は第３の実施の形態に係るレンズの未装着時における例を示しており、図７（ｂ）はレンズの装着時における例を示している。図７（ａ）および（ｂ）に示されるように、カメラの撮影部１５（すなわち、レンズ１７やカバー１９等）は、傷が付いたり衝撃が加わったりしないように筐体の外表面から筐体内部に所定の空間だけ後退した位置に配置されている。ここでは、その所定の空間を後退部位３１と称する。他方、レンズ本体部２１は、カメラの後退部位３１に嵌め合わせ可能な嵌合部３３が形成されており、嵌合部３３とカメラの後退部位３１の側壁との摩擦力によってカメラ撮影部１５に取り付けられる。
【００３８】
　図８（ａ）は第３の実施の形態に係る第１の変形例のレンズの構成例を示しており、図８（ｂ）および（ｃ）は第１の変形例のレンズの装着時における例を示している。なお、図８に示される第１の変形例では、レンズは、レンズ本体部２１からのみ構成されている。レンズ本体部２１は表と裏とで異なる径の円状の部位に形成されている。以下、図８（ａ）中、左側の部位を第１の部位３５と称し、右側の部位を第２の部位３７と称する。第１の部位３５の径は情報端末１１に搭載されたカメラの機種に応じて複数存在する径の中のいずれかの種類のものと対応しており、また第２の部位３７の径はこれとは異なる種類のものと対応している。ここでは、第１の部位３５の径はＡ社の仕様の径と合致するものとし、第２の部位３７の径はＢ社の仕様の径と合致するものとする。情報端末１１に搭載されたカメラがＡ社の仕様である場合、図８（ｂ）に示されるように、レンズ本体部２１は、第１の部位３５がカメラの後退部位３１（図７参照）に対向された状態で（すなわち、図８（ａ）に示される状態のままで）カメラの後退部位３１に取り付けられる。他方、情報端末１１に搭載されたカメラがＢ社の仕様である場合、図８（ｃ）に示されるように、レンズ本体部２１は、第２の部位３７がカメラの後退部位３１に対向された状態で（すなわち、図８（ａ）に示される状態をひっくり返した状態で）カメラの後退部位３１に取り付けられる。なお、レンズ本体部２１は、第１の部位３５と第２の部位３７が同じ円弧で形成されている。そのため、ひっくり返しても、少なくとも光軸となる円の中央を中心としたＡ社の仕様のカメラにおける有効画像領域内では同じ倍率になるように形成されている。このようなレンズ本体部２１とカメラは、カメラの後退部位３１の側壁と嵌合部３３との摩擦力によって係止する。
【００３９】
　図９（ａ）は第３の実施の形態に係る第２の変形例のレンズの未装着時における例を示しており、図９（ｂ）は第２の変形例のレンズの装着時における例を示している。なお、図９に示される第２の変形例では、レンズは、レンズ本体部２１と取付手段であるフレーム３９とから構成されている。フレーム３９は、図示しないスプリング等の押圧手段によって付勢された突起状の嵌合部３３を有する。またフレーム３９は、レンズ本体部２１と脱着可能に構成されている。このようなレンズ本体部２１とカメラは、カメラの後退部位３１の側壁と嵌合部３３との摩擦力によって係止する。
【００４０】
　なお、図７（ｂ）、図８（ｂ）、図８（ｃ）及び図９（ｂ）には、カメラの撮影部１５とレンズ本体部２１とが接するように描かれているが、実際には、カメラの撮影部１５に傷が付いたり衝撃が加わったりしないように、カメラの撮影部１５とレンズ本体部２１とは接しないようにするのが好ましい。
【００４１】
　以上の通り、第３の実施の形態では、第１、第２の実施の形態と同様に、撮影者が、簡易な操作で、近距離に焦点を合わせたり、画角を変えたりすることができる。また、カメラの撮影部１５を覆うため、撮影部１５周辺に傷がつくのを防ぐことができ、撮影部１５を保護するカバーとしても利用することができる。
【００４２】
　＜第４〜第６の実施の形態＞
　第４〜第６の実施の形態に係るレンズは、付勢力または摩擦力によって、レンズ本体部２１をカメラの撮影部１５（図１参照）に取り付けるものである。以下に、図１０〜図１２を用いて第４〜第６の実施の形態を説明する。なお、図１０は第４の実施の形態に係るレンズの斜視図で、図１１は第５の実施の形態に係るレンズの斜視図で、図１２は第６の実施の形態に係るレンズの斜視図である。
【００４３】
　第４の実施の形態に係るレンズは、コイル状または板状のバネの付勢力によって、レンズ本体部２１をカメラの撮影部１５（図１参照）に取り付けるものである。
【００４４】
　第４の実施の形態に係るレンズの３つの具体的な構成例を図１０に示す。図１０（ａ）は第４の実施の形態に係るレンズの第１の構成例を示しており、図１０（ｂ）は第２の構成例を示し、図１０（ｃ）は第３の構成例を示している。
【００４５】
　第４の実施の形態の第１の構成例に係るレンズは、図１０（ａ）に示されるように、レンズ本体部２１と緩衝部材２４８とが組み込まれたコイル状のバネ２４７によって構成される。
【００４６】
　第４の実施の形態の第１の構成例では、レンズ本体部２１がカメラの撮影部１５に対向する位置に配置されている。また、緩衝部材２４８が、レンズ本体部２１のカメラの撮影部１５と対向する位置と、カメラの裏面に対向する位置に配置されている。そして、金属やプラスチック等の弾性を有する素材で形成されたコイル状のバネ２４７が、カメラの撮影部１５を前後から挟み込むようにカメラに取り付けられる。このとき、コイル状のバネ２４７は、付勢力によってカメラに固定して取り付く。これにより、レンズ本体部２１と緩衝部材２４８は、カメラの撮影部１５の前と後に対向する位置で固定される。
【００４７】
　なお、レンズ本体部２１は、倍率や撮影画角が任意に設定されている。また、レンズ本体部２１は、紫外線や赤外線等の特定の波長の光を透過する特性、特定の波長の光を強調する特性、特定の波長の光を遮断する特性等が任意に与えられたフィルタである場合もある。この場合、レンズ本体部２１は、焦点の位置を変えないレンズ（すなわち、度を有さないレンズ）となっていることもある。
【００４８】
　また、緩衝部材２４８は、カメラに傷が付かないように、例えばゴムのような弾性を有する部材が好ましい。これにより、カメラが厚い場合でもレンズ本体部２１を取り付けることができる。また、カメラの撮影部１５が凸凹な形状の場合でもレンズ本体部２１をカメラの撮影部１５に取り付けることができる。
【００４９】
　第４の実施の形態の第２の構成例に係るレンズは、図１０（ｂ）に示されるように、第１の構成例に係るレンズのコイル状のバネ２４７を、板状のバネ２４９に置き換えたものである。第２の構成例では、第１の構成例に係るレンズと同様にして、レンズがカメラに取り付けられる。
【００５０】
　第４の実施の形態の第３の構成例に係るレンズは、図１０（ｃ）に示されるように、第１の構成例に係るレンズのコイル状のバネ２４７に穴２５０を設けたものである。第３の構成例では、撮影機が、例えば携帯電話機等のように、ストラップを具備する端末に搭載されている場合に、ストラップの紐を穴２５０に通すことができる。これにより、第３の構成例では、レンズと撮影機とを一緒に持ち運ぶことができるようになる。そのため、レンズの携帯性が向上するとともに、レンズが紛失しにくくなる。
【００５１】
　なお、第４の実施の形態に係るレンズは、バネ２４７（または２４９）が、レンズ本体部２１のカメラの撮影部１５と対向する位置に配置された緩衝部材２４８を回動可能な状態で支える構成になっていてもよい。
【００５２】
　また、第４の実施の形態に係るレンズは、バネ２４７（または２４９）が、ネジによってカメラに取り付けられる構成になっていてもよい。
【００５３】
　第５の実施の形態に係るレンズは、クリップの付勢力によって、レンズ本体部２１をカメラの撮影部１５に取り付けるものである。
【００５４】
　第５の実施の形態に係るレンズは、図１１に示されるように、レンズ本体部２１が組み込まれたクリップ２５５によって構成される。
【００５５】
　第５の実施の形態では、レンズ本体部２１がカメラの撮影部１５に対向する位置に配置されている。そして、クリップ２５５が、カメラの撮影部１５を前後から挟み込むようにカメラに取り付けられる。このとき、クリップ２５５は、付勢力によってカメラに固定して取り付く。これにより、レンズ本体部２１は、カメラの撮影部１５に対向する位置で固定される。
【００５６】
　第６の実施の形態に係るレンズは、カメラに被せるカバー型の構造にし、摩擦力によって、レンズ本体部２１をカメラの撮影部１５に取り付けるものである。
【００５７】
　第６の実施の形態に係るレンズは、図１２に示されるように、レンズ本体部２１が組み込まれたカバー２５６によって構成される。
【００５８】
　第６の実施の形態は、レンズ本体部２１がカメラの撮影部１５に対向する位置に配置されている。そして、カバー２５６が、カメラの撮影部１５に被さるようにカメラに取り付けられる。これにより、レンズ本体部２１は、カメラの撮影部１５に対向する位置で固定される。
【００５９】
　以上の通り、第４〜第６の実施の形態は、第１〜第３の実施の形態と同様に、撮影者が、簡易な操作で、近距離に焦点を合わせたり、画角を変えたりすることができる。また、カメラの撮影部１５を覆うため、撮影部１５周辺に傷がつくのを防ぐことができ、撮影部１５を保護するカバーとしても利用することができる。しかも、その上、レンズ本体部２１をカメラの撮影部１５に自在に着脱することができるので、レンズ本体部２１を何度も繰り返し使用することができる。
【００６０】
　＜レンズの変形例＞
　（第１〜第３の変形例）
　第１〜第３の変形例は、レンズ本体部２１に段差部や凸部、凹部を設けたものである。撮影者は、これらに爪やペン先等を引っ掛けることによって、レンズ本体部２１をカメラの撮影部から簡易に取り外すことができる。以下に、図１３及び図１４を用いてレンズの第１〜第３の変形例を説明する。なお、図１３はレンズの第１の変形例を示す図であり、図１３（ａ）は第１の変形例の斜視図で、図１３（ｂ）は第１の変形例の上面を示し、図１３（ｃ）は第１の変形例の側面を示し、図１３（ｄ）は第１の変形例の下面を示している。また図１４はレンズの第２、第３の変形例を示す図であり、図１４（ａ）は第２の変形例を示し、図１４（ｂ）は第３の変形例を示している。
【００６１】
　第１の変形例に係るレンズ本体部２１は、図１３（ａ）〜（ｄ）に示されるように、側面に段差部４１が設けられている。なお、形状１と２では、段差部４１の向きを違えている。図１３に示される例では、第１の変形例に係るレンズ本体部２１に、図２（ｂ）に示される粘着部材２３が取り付けられている。
【００６２】
　第２の変形例に係るレンズ本体部２１は、図１４（ａ）に示されるように、側面に凸部４３が設けられている。他方、第３の変形例に係るレンズ本体部２１は、図１４（ｂ）に示されるように、側面に凹部４５が設けられている。
【００６３】
　（第４の変形例）
　第４の変形例は、図１５（ａ）に示されるように、レンズ本体部２１に、光の透過性を有する程度の色を付したものである。以下に、図１５を用いてレンズの第４の変形例を説明する。なお、図１５はレンズの第４の変形例を示す図であり、図１５（ａ）は第４の変形例に係るレンズ本体部２１の外観を示しており、図１５（ｂ）はレンズ本体部２１の取り付け例を示している。
【００６４】
　第４の変形例に係るレンズ本体部２１に付された色は、例えば黒や黄等である。黒色のレンズ本体部２１は、光の透過を抑えたい場合に用いられる。例えば、日差しの強い中での撮影や、逆光となる場所での撮影の場合である。黄色のレンズ本体部２１は、可視光を強めたい場合に用いられる。例えば、夕日が差している中での撮影や、薄暗い場所での撮影の場合である。色は、これらに限らず、撮影者の意思によって種々選択可能である。例えばセピアやピンク等の色調がついた画像を撮影したい場合は、撮影したい色調の色が付いたレンズ本体部２１を選択することになる。このように、撮影者は任意の色のレンズ本体部２１を選択することによって、様々な用途に応じることができる。
【００６５】
　第４の変形例は、例えば、図１５（ｂ）に示されるように、レンズ本体部２１には取付手段である粘着部材２３が取り付けられ、粘着部材２３の粘着力によってレンズがカメラの撮影部１５に取り付けられる。
【００６６】
　（第５〜第７の変形例）
　第５〜第７の変形例に係るレンズは、特殊効果を施した画像を撮影するためのものである。なお、第５〜第７の変形例は、焦点の位置を変えるレンズ（すなわち、度を有するレンズ）に限らず、焦点の位置を変えないレンズ（すなわち、度を有さないレンズ）にも適用可能である。以下に、図１６を用いて第５〜第７の変形例を説明する。なお、図１６はレンズの第５〜第７の変形例を示す図であり、図１６（ａ）は第５の変形例を示し、図１６（ｂ）は第６の変形例を示し、図１６（ｃ）は第７の変形例を示している。
【００６７】
　第５の変形例に係るレンズは、例えば、アクリルや塩化ビニル、ポリ塩化ビニル、ポリプロピレン、ポリカーボネート等によって形成され、光を透過することができる程度の色（傷の場合もある）が付されている。色は、セピアやパープル、ピンク、オレンジ、レッド、ブルー、その他等から任意に選択されたものである。そして、第５の変形例に係るレンズは、図１６（ａ）に示されるように、着色部（傷の場合もある）２２５の色がレンズ本体部２１の中央付近ほど薄く、レンズ本体部２１の外周付近ほど濃く色付けされている。第５の変形例に係るレンズは、このような構成により、中央付近が鮮明で、外周付近が不鮮明な画像（すなわち、外周付近にボカシが施された画像）を撮影することができる。
【００６８】
　第６の変形例に係るレンズは、図１６（ｂ）に示されるように、レンズ本体部２１にＶ型の溝２２７が設けられたものである。第６の変形例に係るレンズは、このような構成により、複数の区画に区切られた画像を撮影することができる。
【００６９】
　第７の変形例に係るレンズは、図１６（ｃ）に示されるように、レンズ本体部２１に任意の形状による複数のカットが施されたものである。第７の変形例に係るレンズは、このような構成により、乱反射した画像（すなわち、画像の部分毎に被写体の写る向きが異なる画像）を撮影することができる。
【００７０】
　以上の通り、第５〜第７の変形例は、撮影の用途や撮影者の好み等に応じて、任意の特殊効果を施した画像を撮影することができる。
【００７１】
　（第８の変形例）
　第８の変形例に係るレンズは、様々な加工が施されたフィルタを用いて任意の特殊効果が施された画像を撮影するものである。以下に、図１７〜図１８を用いて第８の変形例を説明する。なお、図１７及び第１８はレンズの第８の変形例を示す図である。
【００７２】
　第８の変形例に係るレンズは、例えば、図１７（ａ）または図１７（ｂ）に示されるように、レンズ本体部２１と、所定の加工が施されたフィルタ２２９とを組み合わせたものである。図１７（ａ）はレンズ本体部２１の下にフィルタ２２９を配置した例を示しており、図１７（ｂ）はレンズ本体部２１の上にフィルタ２２９を配置した例を示している。第８の変形例に係るレンズは、粘着部材２３やその他の取付手段によってカメラの撮影部１５に取り付けられる。
【００７３】
　フィルタ２２９は、例えば、アクリルや塩化ビニル、ポリ塩化ビニル、ポリプロピレン、ポリカーボネート等によって、薄いフィルム状に形成されている。
【００７４】
　また、フィルタ２２９は、撮影の用途や撮影者の好みに応じて任意の特殊効果を施した画像を撮影するための様々な加工が施されている。加工の一例として、例えば、第４の変形例や第５の変形例に係るレンズ本体部２１のような着色加工や、第６の変形例に係るレンズ本体部２１のようなＶ型の溝の形成加工、第７の変形例に係るレンズ本体部２１のような任意の形状による複数のカットの形成加工等がある。また、例えば、紫外線や赤外線等の特定の波長の光を透過する特性や、特定の波長の光を強調する特性、特定の波長の光を遮断する特性等を与える加工もある。
【００７５】
　第８の変形例に係るレンズは、例えば、図１８（ａ）に示されるように、複数のレンズ本体部２１とフィルタ２２９とを組み合わせてもよい。図１８（ａ）は複数のレンズ本体部２１の下にフィルタ２２９を配置した例を示しているが、フィルタ２２９は複数のレンズ本体部２１の上または間に配置してもよい。なお、各レンズ本体部２１とフィルタ２２９は、粘着部材２３やその他の取付手段によって互いに固定される。
【００７６】
　また、第８の変形例に係るレンズは、例えば、図１８（ｂ）に示されるように、レンズ本体部２１とフィルタ２２９の下に取り付けられる粘着部材２３を所定の厚さで形成してもよい。
【００７７】
　また、第８の変形例に係るレンズは、例えば、図１８（ｃ）に示されるように、レンズ本体部２１とフィルタ２２９と所定の厚さで形成された治具２２３とを組み合わせてもよい。なお、図１８（ｃ）に示される例では、レンズ本体部２１とフィルタ２２９は、一枚ずつであるが、複数枚であってもよい。また、フィルタ２２９は、レンズ本体部２１の下に配置されているが、レンズ本体部２１の上に配置されていてもよい。また、フィルタ２２９は、レンズ本体部２１が複数枚ある場合に、レンズ本体部２１の間に配置されていてもよい。
【００７８】
　なお、図１８（ｂ）及び図１８（ｃ）に示される例では、粘着部材２３または治具２２３は単一の部材で形成されているが、複数個の部材が重ねて形成されることによっても同様の効果を得ることができる。また、図１８（ｂ）及び図１８（ｃ）に示される例では、レンズは、粘着部材２３または治具２２３によって任意の厚さが確保されるので、頑丈に構成することができるとともに、フィルタ２２９が薄いフィルム状のものである場合に、爪等が引っ掛かり易いので容易に剥がすことが可能となる。
【００７９】
　なお、レンズは、レンズ本体部２１を複数用いる場合に、例えば、カメラの撮影部１５に近い側のレンズを凸レンズとし遠い側を凹レンズとすると、広角撮影をすることができる。また、カメラの撮影部１５に近い側のレンズを凹レンズとし遠い側を凸レンズとすると、望遠撮影をすることができる。
【００８０】
　以上の通り、第８の変形例は、任意の特殊効果を施した画像を撮影することができる。特に、図１８に示される例は、倍率を任意の大きさに調整することができるので、望遠撮影や接写撮影等に好適である。
【００８１】
　（第９の変形例）
　第９の変形例に係るレンズは、筐体の中にレンズ２１（またはフィルタ２２９）を収納する構造（以下、フレーム構造という）をもつ構成としたものである。以下に、図１９〜図２１を用いて第９の変形例を説明する。なお、図１９〜図２１はレンズの第９の変形例を示す図であり、図１９は第９の変形例の第１の構成例に係るレンズの斜め方向から見た外観を示しており、図２０は第９の変形例の第１の構成例に係るレンズの横方向からの断面を示し、図２１（ａ）は第９の変形例の第２の構成例に係るレンズの斜め方向からの外観を示し、図２１（ｂ）は第９の変形例の第３の構成例に係るレンズの斜め方向からの外観を示している。
【００８２】
　第９の変形例に係るレンズは、例えば、図１９及び図２０に示される第１の構成例のように、上蓋２３１と下蓋２３５とによって筐体が形成される。なお、第９の変形例では、カメラの撮影部１５から遠い側を上側とし、カメラの撮影部１５に近い側を下側として説明する。
【００８３】
　上蓋２３１と下蓋２３５は、例えば、樹脂等の部材によって形成され、色は、無色の場合もあれば着色されている場合もある。
【００８４】
　上蓋２３１は、図２０に示されるように、すり鉢状の形状をしている。すなわち、上側端部２３１−１の径が、下側端部２３１−２の径よりも大きい形状をしている。また、上蓋２３１は、カメラの撮影部１５に取り入れられる光を遮らないようにするための穴２３１−３が設けられている。
【００８５】
　下蓋２３５も、図２０に示されるように、すり鉢状の形状をしている。すなわち、上側端部２３５−１の径が、下側端部２３５−２の径よりも大きい形状をしている。また、下蓋２３５も、カメラの撮影部１５に取り入れられる光を遮らないようにするための穴２３５−３が設けられている。
【００８６】
　上蓋２３１と下蓋２３５の大きさは、同じでも構わないが、図２０に示されるように、上蓋２３１の上側端部２３１−１の外周の径が下蓋２３５の上側端部２３５−１の外周の径よりも大きい方が、上蓋２３１を下蓋２３５から容易に取り外しできるようになるので、好ましい。また、図２０に示されるように、上蓋２３１の下側端部２３１−２の内周の径が下蓋２３５の下側端部２３５−２の内周の径よりも大きい方（すなわち、上側の構成物の穴の径が下側の構成物の穴の径よりも段々と大きくなる方）が、撮影部１５に取り入れられる光を遮らないので、好ましい。
【００８７】
　上蓋２３１とレンズ２１（またはフィルタ２２９）と下蓋２３５は、図１９に示される矢印の要領で組み合わされる。すなわち、レンズ２１（またはフィルタ２２９）は、下蓋２３５の下側端部２３５−２によって形成された溝の中に挿入され、その上に上蓋２３１が被せられる。これにより、レンズ２１（またはフィルタ２２９）は、下蓋２３５の下側端部２３５−２によって形成された溝の中で固定される。このとき、上蓋２３１と下蓋２３５は、側壁２３３の摩擦力によって固定される。この後、下蓋２３５は、例えば、粘着部材２３などの取付手段によってカメラの撮影部１５の上に取り付けられる。なお、粘着部材２３は、例えば、大きな厚みが必要な場合に、ウレタン等の部材によって図２０に示されるような形状を形成し、その上面と下面に粘着剤を塗布することによって形成してもよい。
【００８８】
　第９の変形例に係るレンズは、上蓋２３１を取り外すことによって、レンズ２１（またはフィルタ２２９）を差し替えることができる。これにより、任意の倍率による画像や任意の特殊効果を施した画像を撮影することができる。または、何も加工を施さない画像を撮影することができる。
【００８９】
　第９の変形例に係るレンズは、図２１（ａ）及び図２１（ｂ）に示される第２及び第３の構成例のように形成することもできる。
【００９０】
　すなわち、第９の変形例に係るレンズは、例えば、図２１（ａ）に示される第２の構成例のように、上蓋２３７をアクリル等の透明な部材で形成されてもよい。第２の構成例は、上蓋２３７が透明な部材で形成されているので、第１の構成例のような穴２３１−３を形成する必要がない。そのため、第２の構成例は、製造工程を簡略化することができ、低コストで製造することができる。また、上蓋２３７に所定の加工を施すことによって、任意の特殊効果を施した画像を撮影することも可能とする。この場合、加工の内容によっては、上蓋２３７にレンズ２１またはフィルタ２２９と同様の機能を持たせることができるので、レンズ２１またはフィルタ２２９を必要としない構成にすることも可能である。
【００９１】
　また、第９の変形例に係るレンズは、例えば、図２１（ｂ）に示される第３の構成例のように、下蓋２３５にボス２４１を設け、上蓋２３１にボス２４１が嵌め込まれる穴２３９を設けてもよい。これにより、第９の変形例に係るレンズは、側壁２３３の摩擦力が弱いときに、上蓋２３１と下蓋２３５とを強固に固定することができる。
【００９２】
　以上の通り、第９の変形例は、第８の変形例と同様に、任意の特殊効果を施した、所定の倍率による画像を撮影することができる。また、第９の変形例は、上蓋２３１（または２３７）を外すだけで、レンズ２１（またはフィルタ２２９）を容易に差し替えることができる。また、第９の変形例は、上蓋２３１（または２３７）と下蓋２３５によって任意の厚さが確保されるので、第８の変形例よりも更に頑丈に構成することができる。また、フィルタ２２９が薄いフィルム状のものである場合に、第９の変形例は、上蓋２３１（または２３７）と下蓋２３５によって任意の厚さが確保されるので、フィルタ２２９を強固に保持することができる。
【００９３】
　（第１０の変形例）
　第１０の変形例に係るレンズは、筐体をカメラの撮影部１５と嵌め合わせ可能な形状に形成し、摩擦力によって筐体をカメラに取り付けるようにしたものである。なお、筐体に、紐を通すための穴を設けるようにしてもよい。これにより、第１０の変形例に係るレンズは、カメラが例えばストラップが取り付けられた機器（例えば携帯電話機やハンディ型のカメラ等）である場合に、ストラップの紐を通すことによってカメラと一緒に持ち運びすることができる。そのため、レンズの携帯性を向上させることができるとともに、紛失しにくくすることができる。
【００９４】
　以下に、図２２を用いて第１０の変形例を説明する。なお、図２２はレンズの第１０の変形例を示す図であり、図２２（ａ）は第１０の変形例に係るレンズの斜め上方向からの外観を示し、図２２（ｂ）は第１０の変形例に係るレンズの斜め下方向からの外観を示している。
【００９５】
　第１０の変形例に係るレンズは、例えば、図２２（ａ）及び図２２（ｂ）に示されるように、上蓋２４１と下蓋２６１とによって筐体が形成される。なお、第１０の変形例に係るレンズは、下蓋２６１だけで形成し、上蓋２４１を使用しないように構成することも可能である。
【００９６】
　上蓋２４１と下蓋２６１は、第９の変形例に係る上蓋２３７（または２３１）と下蓋２３５と同様のものであり、色は、無色の場合もあれば着色されている場合もある。
【００９７】
　なお、下蓋２６１には、下側に突出した下側端部２６３が形成されており、その下側端部２６３には、インスタントカメラやディジタルカメラ等のハンディ型のカメラ１３（または携帯電話機やノート型のＰＣやＰＤＡ（電子手帳を含む）等の情報端末１１）の撮影部１５と嵌め合わせ可能な溝２６５が設けられている。また、下蓋２６１には、上側に突出した上側端部２６７が形成されており、その上側端部２６７には、レンズ本体部２１（またはフィルタ２２９）や粘着部材２３を収納するための溝２６９が設けられている。また、下蓋２６１には、カメラの撮影部１５に取り入れられる光を遮らないようにするための穴２７１が設けられている。
【００９８】
　また、上蓋２４１には、下側に突出した下側端部２４３が形成されており、その下側端部２４３には、下蓋２６１の上側端部２６７と嵌め合わせ可能な溝２４５が設けられている。
【００９９】
　上蓋２４１とレンズ２１（またはフィルタ２２９）と下蓋２６１は、図２２（ｂ）に示される矢印の要領で組み合わされる。すなわち、レンズ２１（またはフィルタ２２９）は、下蓋２６１の溝２６９の中に挿入される。このとき、レンズ２１またはフィルタ２２９は、粘着部材２３の粘着力によって下蓋２６１の溝２６９の中で固定される。または、レンズ２１またはフィルタ２２９は、下蓋２６１の溝２６９と嵌め合わせ可能な形状／大きさに形成され、溝２６９と嵌め合うことにより生じる摩擦力によって下蓋２６１の溝２６９の中で固定されるようにしてもよい。この後、下蓋２６１には、上蓋２４１が被さられる。このとき、下蓋２６１と上蓋２４１は、上蓋２４１の溝２４５が下蓋２６１の上側端部２６７と嵌め合うことにより生じる摩擦力によって固定される。この後、下蓋２６１は、カメラの撮影部１５に取り付けられる。このとき、下蓋２６１とカメラの撮影部１５は、下蓋２６１の溝２６５がカメラの撮影部１５と嵌め合うことにより生じる摩擦力によって固定される。
【０１００】
　このような第１０の変形例に係るレンズは、カメラの撮影部１５を覆うため、撮影部１５周辺に傷がつくのを防ぐことができ、撮影部１５を保護するカバーとして利用することができる。
【０１０１】
　以上の通り、第１０の変形例は、筐体をカメラの撮影部１５と嵌め合わせ可能な形状に形成し、摩擦力によって筐体をカメラに取り付けるようにしたものである。第１０の変形例は、第９の変形例と同様の効果を得ることができる。
【０１０２】
　（第１１の変形例）
　以下に、図２３を用いてレンズの第１１の変形例を説明する。
【０１０３】
　第１１の変形例は、図２３に示されるように、レンズ本体部２１に、種々の情報を示すマーク４７を記したものである。種々の情報とは、例えば「倍率」や「焦点距離」、「レンズの種類（広角レンズや狭角レンズ等）」、「社名」、「支店名」等である。「社名」は、例えば撮影者が所属する団体やサービスの提供者、情報端末１１のメーカ、レンズ本体部２１の製造者等である。「支店名」は、例えば撮影者の所属する団体の支店名等である。これら種々の情報を示すマーク４７は、撮影された画像中に写り込まれることになる。そのため、撮影者は、種々の情報を撮影画像に記録することができる。なお、マーク４７は、レンズ本体部２１ではなく、粘着部材２３等の取付手段に記してもよい。
【０１０４】
　（第１２〜第１８の変形例）
　第１２〜第１８の変形例に係るレンズは、レンズ本体部２１または取付手段（粘着部材２３や吸盤２９等）に紐を取り付けできるようにしたものである。第１２〜第１８の変形例に係るレンズは、カメラが例えばストラップが取り付けられた機器（例えば携帯電話機やハンディ型のカメラ等）である場合に、ストラップの紐を通すことによってカメラと一緒に持ち運びすることができる。そのため、第１２〜第１８の変形例に係るレンズは、携帯性を向上させることができるとともに、紛失しにくくすることができる。なお、第１２〜第１８の変形例に係るレンズは、紐２０３の取り付け構造や取り付け位置を違えたものである。
【０１０５】
　以下に、図２４〜図３３を用いて第１２〜第１８の変形例を説明する。なお、図２４はレンズの第１２の変形例を示す図で、図２５〜図２７はレンズの第１３の変形例を示す図で、図２８はレンズの第１４の変形例を示す図で、図２９及び図３０はレンズの第１５の変形例を示す図で、図３１はレンズの第１６の変形例を示す図で、図３２はレンズの第１７の変形例を示す図で、図３３はレンズの第１８の変形例を示す図である。
【０１０６】
　第１２の変形例に係るレンズは、図２４に示されるように、レンズ本体部２１に紐２０３を接着剤により（または溶融により）接着したものである。
【０１０７】
　第１３の変形例に係るレンズは、図２５に示されるように、レンズ本体部２１に紐２０３を通すための穴２０１を設け、穴２０１に紐２０３を通したものである。第１３の変形例に係るレンズは、図２６に示されるように、レンズ本体部２１の下に粘着部材２３等の取付手段が配置される。なお、図２６（ａ）は図２（ａ）に示される粘着部材（すなわち、透明な素材で形成された粘着部材）２３に切り欠き２０７を設けた構成例を示しており、図２６（ｂ）は図２（ｂ）に示される粘着部材（すなわち、光を透過するための穴２５が設けられた粘着部材）２３に切り欠き２０７を設けた構成例を示している。切り欠き２０７は、図２７に示されるように、紐２０３がレンズとカメラの撮影部１５との取り付けの邪魔にならないように、紐２０３を通すための空間をレンズ本体部２１と撮影部１５との間に設けるためのものである。これにより、第１３の変形例に係るレンズは、カメラの撮影部１５から浮くことなく、撮影部１５に密着させて固定することができる。また、第１３の変形例に係るレンズは、切り欠き２０７により、レンズ本体部２１と粘着部材２３とを密着させて固定することができる。
【０１０８】
　第１４の変形例に係るレンズは、図２８に示されるように、レンズ本体部２１を加工することにより、レンズ本体部２１と撮影部１５との間の空間を第１３の変形例に係るレンズよりも更に大きく設けたものである。なお、図２８（ａ）はレンズ本体部２１に切り欠きを設けた構成例を示しており、図２８（ｂ）は穴２０１付近が上方に突出するようにレンズ本体部２１を形成した構成例を示している。
【０１０９】
　第１２〜第１４の変形例は、紐２０３が取り付けの邪魔にならないように、レンズをカメラの撮影部１５に取り付けることができるので、カメラの撮影部１５から浮くことなく撮影部１５に固定することができる。
【０１１０】
　第１５の変形例に係るレンズは、穴２０１に紐２０３を通した状態で、例えば図７に示される第３の実施の形態のように、カメラの後退部位３１に嵌め合わせてカメラの撮影部１５に取り付けできるように構成したものである。第１５の変形例に係るレンズは、図２９に示されるように、紐２０３を通すための切り欠き２０９をレンズ本体部２１に設けたものである。なお、図２９（ａ）は図２６（ａ）に示される第１３の変形例に係るレンズのレンズ本体部２１に切り欠き２０９を設けた構成例を示しており、図２９（ｂ）は図２６（ｂ）に示される第１３の変形例に係るレンズのレンズ本体部２１に切り欠き２０９を設けた構成例を示している。切り欠き２０９は、図３０に示されるように、紐２０３がレンズとカメラの後退部位３１との嵌め合わせの邪魔にならないように、紐２０３を通すための空間をレンズ本体部２１と後退部位３１との間に設けるためのものである。これにより、第１５の変形例に係るレンズは、紐２０３の影響を受けることなく、穴２０１に紐２０３を通した状態で、図７に示される第３の実施の形態のように、カメラの後退部位３１に嵌め合わせてカメラの撮影部１５に取り付けることができる。
【０１１１】
　第１６の変形例に係るレンズは、図３１に示されるように、粘着部材２３に紐２０３を通すための穴２０１を設け、穴２０１に紐２０３を通すとともに、レンズ本体部２１に紐２０３を通すための切り欠き２０９を設けたものである。なお、図３１（ａ）は図２（ａ）に示される粘着部材（すなわち、透明な素材で形成された粘着部材）２３に穴２０１を設けた構成例を示しており、図３１（ｂ）は図２（ｂ）に示される粘着部材（すなわち、光を透過するための穴２５が設けられた粘着部材）２３に穴２０１を設けた構成例を示している。第１６の変形例に係るレンズは、切り欠き２０９によって紐２０３がレンズ本体部２１と粘着部材２３の固定を阻害することがないので、レンズ本体部２１と粘着部材２３とを密着させて固定することができる。
【０１１２】
　第１７の変形例に係るレンズは、図３２に示されるように、粘着部材２３に紐２０３を通すための穴２０１が形成された突起２０４を設け、突起２０４の穴２０１に紐２０３を通したものである。なお、図３２（ａ）は図２（ａ）に示される粘着部材（すなわち、透明な素材で形成された粘着部材）２３に突起２０４を設けた構成例を示しており、図３２（ｂ）は図２（ｂ）に示される粘着部材（すなわち、光を透過するための穴２５が設けられた粘着部材）２３に突起２０４を設けた構成例を示している。
【０１１３】
　第１８の変形例に係るレンズは、図３３に示されるように、レンズ本体部２１に紐２０３を通すための穴２０１が形成された突起４３を設け、突起４３の穴２０１に紐２０３を通したものである。なお、図３３（ａ）は図２に示される第１の実施の形態に係るレンズ本体部２１に突起４３を設けた構成例を示しており、図３３（ｂ）は図６に示される第２の実施の形態に係るレンズ本体部２１に突起４３を設けた構成例を示している。
【０１１４】
　なお、第１２〜第１８の変形例に係る紐２０３の先端は、例えばスクリュー等によってカメラに固定するようにしてもよい。
【０１１５】
　以上の通り、第１２〜第１８の変形例に係るレンズは、レンズ本体部２１または取付手段に紐２０３を取り付けできるようにしているので、カメラに取り付けられたストラップの紐を通すことによって、カメラと一緒に持ち運びすることができる。そのため、第１２〜第１８の変形例に係るレンズは、携帯性を向上させることができるとともに、紛失しにくくすることができる。
【０１１６】
　（第１９の変形例）
　第１９の変形例に係るレンズは、図６に示される第２の実施の形態に係る取付手段である吸盤２９を、断面形状がΩ型となっている吸盤に置き換えたものである。以下に、図３４を用いて第１９の変形例を説明する。
【０１１７】
　第１９の変形例に係るレンズは、図３４に示されるように、断面形状がΩ型となっている吸盤２４３を取付手段として用いるものである。Ω型の吸盤２４３は、空間２４５の空気の出入りによりカメラの撮影部１５に取り付けられる。吸盤２４３は、空間２４５の大きさが大きいほど吸着力が高くなるので、図６に示される構成のものよりも吸着力を高くすることが可能である。また、吸盤２４３は、空間２４５の機密性によってカメラの撮影部１５に取り付けられることができるので、仮にレンズ本体部２１と吸盤２４３との間の機密性が低くても、レンズをカメラの撮影部１５に取り付けることができる。したがって、第１９の変形例に係るレンズは、レンズ本体部２１と吸盤２４３との間の機密性を問うことなく、レンズを強固にカメラの撮影部１５に取り付けることができる。
【０１１８】
　（第２０の変形例）
　第２０の変形例に係るレンズは、第２の実施の形態に係る取付手段（すなわち、吸着力による取付手段）としてマグネットを用いた場合の構成例を示すものである。以下に、図３５を用いて第２０の変形例を説明する。
【０１１９】
　第２０の変形例に係るレンズは、例えば、図３５に示されるように、鉄分または磁性体が混入された２つの粘着部材２３ａ，２３ｂから構成される。なお、図３５（ａ）は図２（ａ）に示される粘着部材（すなわち、透明な素材で形成された粘着部材）２３を２つに分けた構成例を示しており、図３５（ｂ）は図２（ｂ）に示される粘着部材（すなわち、光を透過するための穴２５が設けられた粘着部材）２３を２つに分けた構成例を示している。なお、図３５（ｂ）に示される２つの粘着部材２３ａ，２３ｂには穴２５が形成されている。
【０１２０】
　粘着部材２３ａは、粘着力によってレンズ本体部２１に固定される。また、粘着部材２３ｂは、粘着力によってカメラの撮影部１５に固定される。そして、レンズ本体部２１は、２つの粘着部材２３ａ，２３ｂの吸着力によってカメラの撮影部１５に取り付けられる。
【０１２１】
　なお、第２０の変形例は、更なる変形が可能である。例えば、部材２３ｂを、カメラの撮影部１５周辺に埋設するようにしてもよい。
【０１２２】
　また、ここでは、部材２３ａ，２３ｂが粘着力によってレンズ本体部２１またはカメラの撮影部１５に固定されるものとして、部材２３ａ，２３ｂを便宜的に「粘着部材」と称している。しかしながら、部材２３ａ，２３ｂは、粘着力以外の手段によってレンズ本体部２１またはカメラの撮影部１５に固定されるようにすることも可能であり、この発明はこのような構成をも含むものである。
【０１２３】
　（第２１〜第２３の変形例）
　第２１〜第２３の変形例に係るレンズは、レンズ本体部２１の周辺から被写体に光を照射できるようにしたものである。第２１〜第２３の変形例に係るレンズは、被写体に光を照射しながら撮影することができるので、以下のような理由により光量が不足しがちな接写を行う場合に好適である。すなわち、接写は、被写体が小さな場合に、カメラのライトからの距離が離れるため、光量が不足しがちになる。その結果、不鮮明な画像しか撮影できなかった。これに対して、第２１〜第２３の変形例に係るレンズは、被写体に光を照射することができるので、充分な光量を確保することができ、小さな被写体でも鮮明な画像を撮影することができる。
【０１２４】
　以下に、図３６〜図３９を用いて第２１〜第２３の変形例を説明する。なお、図３６はレンズの第２１の変形例を示す図で、第２１の変形例に係るレンズの斜め方向から見た外観を示している。また、図３７はレンズの第２１の変形例を示す図で、図３７（ａ）は図３６におけるＡ1 −Ｂ1 断面の構成を示しており、図３７（ｂ）は図３７（ａ）における矢印方向から見た構成を示し、図３７（ｃ）は図３６におけるＡ2 −Ｂ2 断面の構成を示している。また、図３８はレンズの第２２の変形例を示す図である。また、図３９はレンズの第２３の変形例を示す図であり、図３９（ａ）は第２３の変形例に係るレンズ本体部２１の構成例を示し、図３９（ｂ）はレンズ全体を斜め方向から見た外観を示している。
【０１２５】
　第２１の変形例に係るレンズは、例えば図３６に示されるように、カメラの撮影部１５に取り付けるためのクリップ２５５を備える。そのクリップ２５５には、カメラに設けられたライト２５７から照射された光をレンズ本体部２１に導くための集光部２５９が設けられている。集光部２５９には、図３７（ａ）に示されるように、カメラに設けられたライト２５７に対向する位置に反射板２６１が設けられ、反射板２６１により光を集める。また、集光部２５９には、図３７（ａ）及び図３７（ｂ）に示されるように、光ファイバ２６３が埋設されており、光ファイバ２６３によって反射板２６１が集めた光をレンズ本体部２１に導く。光ファイバ２６３は、例えば、図３７（ｃ）に示されるように、被写体に影ができないように、被写体を多方向から囲むように配置され、被写体に光を多方向から照射する。カメラは、カバー１９を介してそのときの画像を装置内に取り入れ、図示しない結像素子によってそのときの画像を取得する。なお、反射板２６１は、プリズムであってもよい。また、光ファイバ２６３は、透明なプラスチック材で形成した光通路であってもよい。
【０１２６】
　第２２の変形例に係るレンズは、図３８に示されるように、光を照射するための発光部２６５と発光部２６５から照射された光をレンズ本体部２１に導くための集光部２６７とが設けられたものである。発光部２６５には、光を発するための例えばＬＥＤ（図示せず）等が組み込まれているとともに、ＬＥＤに電源を供給するための電池を収納する電池ＢＯＸ（図示せず）が組み込まれている。集光部２６７の構造は、第２１の変形例に係る集光部２５９と同様である。すなわち、集光部２６７には、発光部２６５に設けられたＬＥＤに対向する位置に反射板（図示せず）が設けられるとともに、光ファイバが埋設されている。そして、集光部２６７は、反射板により光を集め、その光をレンズ本体部２１に導き、被写体に光を多方向から照射する。カメラは、カバー１９を介してそのときの画像を装置内に取り入れ、図示しない結像素子によってそのときの画像を取得する。
【０１２７】
　第２３の変形例に係るレンズは、図３９（ａ）に示されるように、レンズ本体部２１に１乃至複数の切り欠き２７３が設けられるとともに、光を発するための例えばＬＥＤ２７５等が組み込まれたものである。第２３の変形例に係るレンズは、図３９（ｂ）に示されるように、電池を収納するための電池ＢＯＸ（図示せず）が組み込まれた電源部２６９を備え、配線２７７を介してＬＥＤ２７５に電源を供給する。また、第２３の変形例に係るレンズは、カバー部２７１によって電源部２６９とＬＥＤ２７５とを結ぶ配線２７７を保護している。
【０１２８】
　以上の通り、第２１〜第２３の変形例に係るレンズは、被写体に光を照射しながら撮影することができるので、光量が不足しがちな接写を行う場合に好適である。
【０１２９】
　（第２４の変形例）
　第２４の変形例に係るレンズは、携帯電話機やノート型ＰＣやＰＤＡ（電子手帳を含む）等の情報端末の表示部や、インスタントカメラやディジタルカメラ等のハンディ型のカメラの表示部に、粘着力によって取り付けるようにしたものである。以下に、図４０〜図４３を用いて第２４の変形例を説明する。図４０は第２４の変形例に係るレンズの取り付け例を示しており、図４１は第２４の変形例に係るレンズの構成例を示しており、図４２及び図４３はレンズの一部を拡大した構成例を示している。
【０１３０】
　例えば、ディジタルカメラのようなハンディ型のカメラ１３は、図４０に示されるように、シャッターボタン１５１や、撮影や再生等の動作を設定するためのボタン１５３、表示部１５５等を備えている。また、表示部１５５の外周には、表示部１５５が何らかの物体と衝突しないよいようにするための突起部１５７が設けられている。第２４の変形例に係るレンズ２２は、カメラ１３の突起部１５７に取り付けられる。
【０１３１】
　そのレンズ２２は、光を透過できるように透明性を有する素材で、かつカメラ１３の突起部１５７とほぼ同形状／ほぼ同じ大きさで形成されている。また、レンズ２２は、カメラ１３の突起部１５７に取り付けできるように、突起部１５７に対応する位置に透明な粘着剤が塗布されている、または、透明な粘着部材が貼り付けられている。なお、レンズ２２は、カメラ１３の突起部１５７に容易に取り付けできるように、一定以上の硬さ（例えば端部をつまんだ場合に若干撓る程度の硬さ）を有するように形成するのが好ましい。
【０１３２】
　レンズ２２は、例えば、図４１に示されるように、複数の区画２２−１からなるシート状のレンズの集合体として形成されている。区画２２−１は、リニアフレネルレンズまたはクロスリニアフレネルレンズの集合体として形成されている。
【０１３３】
　リニアフレネルレンズは、光を屈折するための屈折部が帯状に配されている。その構造は、図４２（ａ）の斜視図に示されるように、また図４２（ｂ）の側面図に示されるように、中央部分にレンズの裏面と水平な領域が形成され、中央から外れた部分に所定の間隔で光を屈折するための屈折部が帯状に形成されている。左右に平行な帯状の屈折部が配されたリニアフレネルレンズは、光を、図４２の矢印に示されるように導く。すなわち、リニアフレネルレンズは、レンズの中央部分に侵入した光を直進させ、レンズの中央から外れた部分に侵入した光を、左右が平行になるように、かつレンズの中央部分に侵入した光とほぼ同じ地点で交わるように屈折させる。
【０１３４】
　クロスリニアフレネルレンズは、光を屈折するための屈折部が格子状に配されている。その構造は、図４３に示されるように、背中合わせに接合された２枚のリニアフレネルレンズ２２−１ａとリニアフレネルレンズ２２−１ｂが、位相を９０°ずらしたものとなっている。
【０１３５】
　リニアフレネルレンズまたはクロスリニアフレネルレンズは、以下のような特性を有する。すなわち、レンズ２２をシート状に形成することができる。また、中央部分と中央から外れた部分との拡大率をほぼ同じにすることができる。ただし、単一のリニアフレネルレンズまたはクロスリニアフレネルレンズでは、拡大すべき対象物までの焦点距離が短い場合に、レンズの径が小さいものとなってしまい、所望の面積のレンズを形成することができない。そこで、第２４の変形例では、正方形または長方形をした複数の小さな径のリニアフレネルレンズまたはクロスリニアフレネルレンズによって各区画２２−１を形成し、各区画２２−１を簾状または格子状につなぎ合わせることによって、所望の面積のレンズ２２を形成している。このようにして、レンズ２２は、大きな面積の、対象物までの焦点距離が短いレンズとして形成されている。
【０１３６】
　一枚のリニアフレネルレンズまたはクロスリニアフレネルレンズは、各区画２２−１を形成する。そして、各区画２２−１は、縦横に配列されて、レンズ２２を形成する。なお、各区画２２−１の配列は、同方向となるようになっていてもよいし、隣接する各区画２２−１同士で位相が９０°ずらされていてもよい。このようにして形成された第２４の変形例に係るレンズ２２は、従来の表示部に取り付けるレンズに存在していた以下のような課題を解決することができる。
【０１３７】
　すなわち、従来の表示部に取り付けるレンズは、専用のアダプタやネジによって取り付けるようにしているため構造が複雑である。また、レンズが凸レンズである場合に、一定以上の厚さが必要なため、機器（例えば、携帯電話機やノート型ＰＣ等）が折り畳み式の場合には、機器が折り畳めなくなるので、表示部に取り付けることができない。また、単一焦点レンズ（すなわち、レンズ中央の一点に焦点を合わせるレンズ）では画面の中央部分が大きく拡大され、中央から外れた部分では拡大率が小さいので、文字の大きさが不均一になる。第２４の変形例に係るレンズ２２は、このような課題を解決することができる。すなわち、粘着剤または粘着部材による簡単な構造で表示部に取り付けることができる。また、シート状に形成することができるので、折り畳み式の機器の表示部に取り付けても、機器を折り畳むことができる。また、画面の中央部分と中央から外れた部分の拡大率をほぼ同じにできるので、文字の大きさをほぼ均一にすることができる。
【０１３８】
　また、レンズ２２は、カメラ１３の突起部１５７に取り付けられるので、カメラの表示部１５５からは離間して取り付けられることになる。そのため、表示部１５５が何らかの物体と衝突しないよいように保護することができる。
【０１３９】
　また、レンズ２２は、複数の区画２２−１の集合体として形成される。そのため、レンズ２２は、表示部の画素数や文字数等の表示サイズに合わせて形成することができるので、最適な拡大表示を行うことができる。
【０１４０】
　なお、レンズ２２は、度を有さないレンズとして形成することも可能である。
【０１４１】
　＜穴の形状＞
　図２２及び図２５〜図３３に示されるレンズに形成された穴２０１は、図４４に示されるように、変形することが可能である。なお、図４４は穴の他の形状例を示す図であり、穴２０１をフック型の穴２０１ａに変形した例を示している。
【０１４２】
　図２２及び図２５〜図３３では、紐２０３を紐２０３の一端から穴２０１の中に入れるようにする例を示しているが、図４４では、紐２０３をフックの開放部から押し込むようにする例を示している。この発明はこのような構成をも含むものである。
【０１４３】
　＜取付手段の接合力＞
　以下に、図４５を用いて取付手段の接合力を説明する。なお、図４５は接合手段の関係を示す図である。また、ここでいう、接合力とは、第１の実施の形態における粘着力と第２の実施の形態における吸着力等を総称したものである。
【０１４４】
　図４５中、粘着部材２３のカメラ側面４９の接合力はレンズ本体部側面５１よりも弱く形成されている。これにより、撮影者は、レンズをカメラの撮影部から取り外す場合に、確実にレンズ全体を取り外すことができる。すなわち、レンズ本体部２１だけ取り外し、粘着部材２３をカメラの撮影部に取り残すようなことをなくすことができる。
【０１４５】
　＜収納ケースの構成＞
　以下に、図４６〜図４８を用いてこの発明に係るレンズを収納して持ち運びするための収納ケースについて説明する。なお、図４６は収納ケースの第１、第２の構成例を示す図であり、図４６（ａ）は第１の構成例を示し、図４６（ｂ）は第２の構成例を示している。また図４７は収納ケースの第３の構成例を示す図であり、図４７（ａ）はレンズ本体部２１を収納する直前の状態を示し、図４７（ｂ）はレンズ本体部２１を収納した後の状態を示している。また図４８は第３の構成例に係る収納ケースの展開図である。
【０１４６】
　第１の構成例に係る収納ケース５３は、図４６（ａ）に示されるように、プレート５５と上蓋５７とから構成されている。プレート５５はレンズ本体部２１を仮留めする領域を備え、各領域には仮留めされるレンズ本体部２１の種類が印刷等によって表示されている。プレート５５に表示されたレンズの種類は倍率に限らず、焦点距離、社名、支店名、レンズの色等にしてもよい。なお、図４６（ａ）に示されるプレート５５は複数枚のレンズ本体部２１を仮留めできる領域を備えているが、１枚分の領域のみからなる構成にすることも可能である。
【０１４７】
　第２の構成例に係る収納ケース５９は、図４６（ｂ）に示されるように、下蓋６１と上蓋６３とから構成されている。レンズ本体部２１は、台紙６５に仮留めされた後、台紙６５ごと下蓋６１内に収納され、下蓋６１に上蓋６３が嵌め合わされることによって密封される。なお、台紙６５は、シリコン等の有機化合物や蝋等によって表面がコーティングされている。台紙６５は紙に限らずビニル等の合成樹脂を用いてもよい。
【０１４８】
　第３の構成例に係る収納ケース６７は、図４７に示されるように、粘着部材２３や吸盤２９等の取付手段によってレンズ本体部２１が仮留めされた台紙６５を収納する。収納ケース６７は、図４７（ａ）に示されるように、上蓋６９、７１が開けられている。レンズ本体部２１が仮留めされた台紙６５は矢印の方向に沿って挿入される。すると、図４７（ｂ）に示されるように、上蓋６９、７１が閉じられ、これによりレンズの収納が完了する。
【０１４９】
　以下に、図４８を用いて収納ケース６７を展開した構成を説明する。収納ケース６７は、折れ線７３を境にして第１のパート７５と第２のパート７７で区切られており、第２のパート７７は折れ線７９を境にして第３のパート８１と区切られ、第３のパート８１は折れ線８３を境にして第４のパート８５と区切られている。
【０１５０】
　第１のパート７５と第２のパート７７は、折れ線７３を中心にして、第１のパート７５の稜線８７と折れ線７９が重なるように折り込まれる。第２のパート７７と第３のパート８１は、折れ線７９を中心にして、第３のパート８１が第１のパート７５の上になるように折り込まれる。第３のパート８１と第４のパート８５は折れ線８３を中心にして折り込まれ、第４のパート８５は第１のパート７５に設けられた切り込み８９に挿入されることになる。
【０１５１】
　第１のパート７５は折れ線９１を境にして第５のパート９３と区切られており、さらに折れ線９５を境にして第６のパート９７と区切られている。また第６のパート９７は折れ線９９を境にして第７のパート１０１と区切られており、第７のパート１０１は後述の切り込み１１１に挿入されることになる。なお、上述の上蓋６９は第６のパート９７と第７のパート１０１から構成される。
【０１５２】
　第２のパート７７は折れ線１０３を境にして第８のパート１０５と区切られており、さらに折れ線１０７を境にして第９のパート１０９と区切られている。第９のパート１０９が上述の上蓋７１となる。また、折れ線１０７の中央には切り込み１１１が設けられており、ここに上述の第７のパート１０１が挿入されることになる。
【０１５３】
　第１のパート７５は、折れ線９１及び折れ線９５に沿って折り曲げることによって円弧状に形成される。同様に、第２のパート７７も、折れ線１０３及び折れ線１０７に沿って折り曲げることによって円弧状に形成される。第１のパート７５と第２のパート７７は、第４のパート８５が切り込み８９に挿入されることによって、また第７のパート１０１が切り込み１１１に挿入されることによって、図４７（ｂ）に示される形状を維持することになる。
【０１５４】
　＜収納ケースの変形例＞
　（第１〜第４の変形例）
　第１〜第４の変形例に係る収納ケースは、収納ケースに紐を取り付けできるようにしたものである。第１〜第４の変形例に係る収納ケースは、カメラが例えばストラップが取り付けられた機器（例えば携帯電話機やハンディ型のカメラ等）である場合に、ストラップの紐を通すことによってカメラと一緒に持ち運びすることができる。そのため、第１〜第４の変形例に係る収納ケースは、携帯性を向上させることができる。なお、第１〜第４の変形例に係るレンズは、紐２０３の取り付け構造や取り付け位置を違えたものである。
【０１５５】
　以下に、図４９〜図５３を用いて第１〜第４の変形例を説明する。なお、図４９は収納ケースの第１の変形例を示す図で、図５０及び図５１は収納ケースの第２の変形例を示す図で、図５２は収納ケースの第３の変形例を示す図で、図５３は収納ケースの第４の変形例を示す図である。
【０１５６】
　第１の変形例に係る収納ケースは、図４６（ｂ）に示される第２の構成例に係る収納ケース５９に、紐２０３を通すための穴２０４を設けたものである。第１の変形例に係る収納ケース５９は、図４９（ａ）に示されるように、下蓋６１に、紐２０３を通すための穴２０４が形成された突起部２０５を設けたり、図４９（ｂ）に示されるように、下蓋６１に、紐２０３を通すための穴２０４を設けたものである。
【０１５７】
　第２の変形例に係る収納ケースは、図５０及び図５１に示されるように、蝶番によって接続された２枚の蓋から構成されたものである。第２の変形例に係る収納ケース２１１は、図５０（ａ）に示されるように四角い形状をした蓋２１３、または図５０（ｂ）に示されるように丸い形状をした蓋２１３の一方に、レンズ本体部２１を仮留めするための粘着剤が塗布されている。または、第２の変形例に係る収納ケース２１１は、図５０（ｃ）に示されるように蓋の一方に、台紙６５を介してレンズ本体部２１を仮留めするようになっている。また、第２の変形例に係る収納ケース２１１は、図５１に示されるように、レンズ本体部２１に設けられた穴２０１に通された紐２０３を、穴２０４に通すことによって、携帯できるようにしてもよい。なお、収納ケース２１１の形状は、レンズ本体部２１が収納可能であれば、四角や丸以外でも可能である。例えば、何らかのキャラクタの形状にすることも可能である。
【０１５８】
　なお、収納ケース２１１の２枚の蓋の間の空間は、レンズ本体部２１を固定できるように（ただし、レンズ本体部２１が変形しない程度に）、レンズ本体部２１を軽く押さえ付ける程度であるのが好ましい。また、レンズ仮留め部２１３（またはそこに貼り付ける台紙６５）は、レンズ本体部２１に押圧が加えられてもレンズ本体部２１が変形しないように、クッション性を持たせるのが好ましい。
【０１５９】
　収納ケース５９，２１１は、１個単位でレンズ本体部２１を収納するのに適している。
【０１６０】
　第３の変形例に係る収納ケースは、複数のレンズ本体部２１が貼り付けられる台紙６５を収納可能な形状に形成されたものである。収納ケース２１５は、図５２に示されるように、粘着部材や吸着部材（例えば、吸盤やマグネット）等の取付手段によって複数のレンズ本体部２１が仮留めされた台紙６５が矢印に沿って収納され、その後に、上蓋２１７が被される。これによりレンズ本体部２１が収納ケース２１５に収納される。
【０１６１】
　収納ケース２１５は、紐２０３を通すための穴２０４が形成された突起２０５が設けられている。穴２０４は、例えば、携帯電話機のストラップの紐２０３が通り、これによって撮影機である携帯電話機等とレンズと収納ケースとが同時に持ち運び可能となる。
【０１６２】
　以上の通り、第１〜第３の変形例に係る収納ケース５９，２１１，２１５は、紐２０３を取り付けできるようにしているので、例えば、カメラに取り付けられたストラップの紐を通すことによって、カメラと一緒に持ち運びすることができる。そのため、第１〜第３の変形例に係る収納ケース５９，２１１，２１５は、携帯性を向上させることができる。
【０１６３】
　第４の変形例に係る収納ケースは、図５２に示される第３の構成例に係る収納ケース２１５に、対象物の大きさやレンズから対象物までの距離を計測するためのスケール２１９を取り付けたものである。図５３（ａ）はスケール２１９を展開した状態の第４の変形例に係る収納ケース２１５の外観を示しており、図５３（ｂ）はその裏面の外観を示している。また、図５３（ｃ）はスケール２１９によって対象物２２１の大きさを計測する例を示している。
【０１６４】
　以上の通り、第４の変形例に係る収納ケース２１５は、スケール２１９を備えているので、対象物２２１の大きさやレンズから対象物２２１までの距離を計測することができる。
【０１６５】
　＜画像処理の工程＞
　以下に、図５４を用いて第４，第５，第８及び第１１の変形例に係るレンズ（すなわち、着色が施されたレンズ本体部２１やフィルタ２２９、所定の情報が記されたレンズ本体部２１等）によって撮影された画像から所定の情報を取得し、情報を記録または外部に伝送する工程について説明する。なお、図５４は画像処理の工程を示すフローチャートである。
【０１６６】
　まず、情報端末１１は、ステップ（以下、Ｓと称する）１１において、外部の光景を撮影し、撮影画像を取得する。次に、Ｓ１３において、撮影画像を黒色でフィルタリングして明度の強度に関する情報を取得する。次に、Ｓ１５において、撮影画像を黄色でフィルタリングして黄色系の色彩の強度に関する情報を取得する。次に、Ｓ１７において、撮影画像を赤色でフィルタリングして赤色系の色彩の強度に関する情報を取得する。次に、Ｓ１９において、撮影画像を緑色でフィルタリングして緑色系の色彩の強度に関する情報を取得する。
【０１６７】
　次に、Ｓ２１において、撮影画像から文字または記号が記されていないかを判断する。ＹＥＳの場合はＳ２３に進み、ＮＯの場合はＳ２５に進む。Ｓ２３において、予め登録された文字または記号に関するテーブル情報を用いて撮影画像に写っている文字または記号を認識し、文字または記号が意味する所定の情報を取得する。
【０１６８】
　次に、Ｓ２５において、撮影画像およびＳ１３で取得された明度の強度に関する情報、Ｓ１５で取得された黄色系の色彩の強度に関する情報、Ｓ１７で取得された赤色系の色彩の強度に関する情報、Ｓ１９で取得された緑色系の色彩の強度に関する情報、Ｓ２３で取得された文字または記号が意味する所定の情報を所定の記録手段に記録したり外部の機器に伝送する。
【０１６９】
　なお、上記の説明では、情報端末１１がこれらの工程を行うものとして説明したが、情報端末１１の外部の機器に撮影画像を伝送して外部の機器に行わせてもよい。また、撮影者の意思でいくつかの工程を割愛してもよい。
【０１７０】
　このような画像処理の工程を行うことによって、情報端末１１や情報端末１１外部の機器は、どのような種類のレンズによって撮影されたのか、その履歴を得ることができる。そのため、例えば撮影時における実際の光景の色調で画像を再生したり、撮影時における環境条件（日差しが強い、夕暮れ時、倍率、広角レンズを使用、狭角レンズを使用等の条件）を認識することが可能となる。また、種々の情報を、記録したり伝送することができるため、様々なサービス（例えば、インターネット等を用いた遠隔診療システム等）において正確な情報を提供することが可能となる。
【０１７１】
　＜付記＞
　この発明に係るレンズは、上述の通り、取付手段としてΩ型の断面をした吸盤であってもよい。
【０１７２】
　また、この発明に係るレンズは、上述の通り、取付手段として撮影機に被せるカバーであってもよい。
【０１７３】
　また、この発明に係るレンズは、上述の通り、撮影機と接触する部分に、弾性を有する部材を配置してもよい。
【０１７４】
　また、この発明に係るレンズは、上述の通り、紐を通すための穴または穴の開いた突起部を設けてもよい。
【０１７５】
　また、この発明に係るレンズは、上述の通り、取付手段の粘着部材に、切り欠きを設けてもよい。
【０１７６】
　また、この発明に係るレンズは、上述の通り、レンズ本体部に、切り欠きを設けてもよい。
【０１７７】
　また、この発明に係るレンズは、上述の通り、光を集める集光部を備え、集めた光をレンズ本体に導くようにしてもよい。なお、集光部は、撮影機に設けられたライトに対向して設けられてもよい。また、集光部は、光を発光させる発光部が設けられてもよい。そして、集光部に集めた光を、プリズム構造または反射構造または光ファイバを用いてレンズ本体に導くようにしてもよい。
【０１７８】
　また、この発明に係るレンズは、上述の通り、レンズ本体部に発光部を設けてもよい。
【０１７９】
　また、この発明に係るレンズの取付は、上述の通り、透明な板またはレンズと組み合わせることによって厚さを確保するようにしてもよい。
【０１８０】
　また、この発明に係るレンズの取付は、上述の通り、撮影機の撮影部に設けられた後退部位との嵌め合わせによってなされてもよい。
【０１８１】
　また、この発明に係るレンズの取付は、上述の通り、バネまたはクリップの付勢力によってなされてもよい。
【０１８２】
　また、この発明に係るレンズの取付は、上述の通り、光を透過するレンズ本体部が組み込まれたカバーを撮影機の撮影部に被せることによってなされてもよい。
【０１８３】
　また、この発明に係るレンズの取付は、上述の通り、上蓋を外すことにより、レンズまたはフィルタを差し替え、またはそのまま撮影できるようにしてもよい。
【０１８４】
　また、この発明に係る収納ケースは、上述の通り、紐を通すための穴または穴の開いた突起を設けるようにしてもよい。
【０１８５】
　また、この発明に係る収納ケースは、上述の通り、蓋の内側に、レンズを仮留めするための膜を形成した、または台紙を貼り付けるようにしてもよい。
【０１８６】
　また、この発明に係る収納ケースは、上述の通り、蓋の内側に、蓋を閉じた場合にレンズを押さえ付ける程度の空間を設けるようにしてもよい。
【０１８７】
　また、この発明に係る収納ケースは、上述の通り、複数単位でレンズを収納できるようにしてもよい。
【０１８８】
　また、この発明に係る収納ケースは、上述の通り、被写体の大きさを計測するためのスケールを設けてもよい。
【産業上の利用可能性】
【０１８９】
　この発明は上記の実施の形態に限定されることなく、この発明の要旨を逸脱しない範囲で種々の応用及び変形が考えられる。
【０１９０】
　例えば、レンズ本体部２１をスクリュー等でカメラの撮影部１５や表示部１５５に取り付けるようにしてもよい。
【図面の簡単な説明】
【０１９１】
【図１】第１の実施の形態に係るレンズの適用例を示す図である。
【図２】第１の実施の形態に係るレンズの斜視図である。
【図３】本発明に係るレンズの取り付けによる作用を示す図である。
【図４】合焦点位置を変える手法を示す図である。
【図５】画角を変える手法を示す図である。
【図６】第２の実施の形態に係るレンズの横断面図である。
【図７】第３の実施の形態に係るレンズの横断面図である。
【図８】第３の実施の形態に係るレンズの第１の変形例を示す図である。
【図９】第３の実施の形態に係るレンズの第２の変形例を示す図である。
【図１０】第４の実施の形態を示す図である。
【図１１】第５の実施の形態を示す図である。
【図１２】第６の実施の形態を示す図である。
【図１３】レンズの第１の変形例を示す図である。
【図１４】レンズの第２、第３の変形例を示す図である。
【図１５】レンズの第４の変形例を示す図である。
【図１６】レンズの第５〜第７の変形例を示す図である。
【図１７】レンズの第８の変形例を示す図である。
【図１８】レンズの第８の変形例を示す図である。
【図１９】レンズの第９の変形例を示す図である。
【図２０】レンズの第９の変形例を示す図である。
【図２１】レンズの第９の変形例を示す図である。
【図２２】レンズの第１０の変形例を示す図である。
【図２３】レンズの第１１の変形例を示す図である。
【図２４】レンズの第１２の変形例を示す図である。
【図２５】レンズの第１３の変形例を示す図である。
【図２６】レンズの第１３の変形例を示す図である。
【図２７】レンズの第１３の変形例を示す図である。
【図２８】レンズの第１４の変形例を示す図である。
【図２９】レンズの第１５の変形例を示す図である。
【図３０】レンズの第１５の変形例を示す図である。
【図３１】レンズの第１６の変形例を示す図である。
【図３２】レンズの第１７の変形例を示す図である。
【図３３】レンズの第１８の変形例を示す図である。
【図３４】レンズの第１９の変形例を示す図である。
【図３５】レンズの第２０の変形例を示す図である。
【図３６】レンズの第２１の変形例を示す図である。
【図３７】レンズの第２１の変形例を示す図である。
【図３８】レンズの第２２の変形例を示す図である。
【図３９】レンズの第２３の変形例を示す図である。
【図４０】レンズの第２４の変形例を示す図である。
【図４１】レンズの第２４の変形例を示す図である。
【図４２】レンズの第２４の変形例を示す図である。
【図４３】レンズの第２４の変形例を示す図である。
【図４４】穴の他の形状例を示す図である。
【図４５】接合力の関係を示す図である。
【図４６】収納ケースの第１、第２の構成例を示す図である。
【図４７】収納ケースの第３の構成例を示す図である。
【図４８】第３の構成例に係る収納ケースの展開図である。
【図４９】収納ケースの第１の変形例を示す図である。
【図５０】収納ケースの第２の変形例を示す図である。
【図５１】収納ケースの第２の変形例を示す図である。
【図５２】収納ケースの第３の変形例を示す図である。
【図５３】収納ケースの第４の変形例を示す図である。
【図５４】画像処理の工程を示すフローチャートである。
【符号の説明】
【０１９２】
　１１　情報端末
　１３　ハンディ型のカメラ
　１５　撮影部
　１７　レンズ
　１９　カバー
　２１　レンズ本体部
　２３　粘着部材
【図１】
2004102315.tif 000003
【図３】
2004102315.tif 000004
【図４】
2004102315.tif 000005
【図５】
2004102315.tif 000006
【図６】
2004102315.tif 000007
【図７】
2004102315.tif 000008
【図８】
2004102315.tif 000009
【図９】
2004102315.tif 000010
【図１０】
2004102315.tif 000011
【図１１】
2004102315.tif 000012
【図１２】
2004102315.tif 000013
【図１３】
2004102315.tif 000014
【図１４】
2004102315.tif 000015
【図１５】
2004102315.tif 000016
【図１６】
2004102315.tif 000017
【図１７】
2004102315.tif 000018
【図１８】
2004102315.tif 000019
【図１９】
2004102315.tif 000020
【図２０】
2004102315.tif 000021
【図２１】
2004102315.tif 000022
【図２２】
2004102315.tif 000023
【図２３】
2004102315.tif 000024
【図２４】
2004102315.tif 000025
【図２５】
2004102315.tif 000026
【図２６】
2004102315.tif 000027
【図２７】
2004102315.tif 000028
【図２８】
2004102315.tif 000029
【図２９】
2004102315.tif 000030
【図３０】
2004102315.tif 000031
【図３１】
2004102315.tif 000032
【図３２】
2004102315.tif 000033
【図３３】
2004102315.tif 000034
【図３４】
2004102315.tif 000035
【図３５】
2004102315.tif 000036
【図３６】
2004102315.tif 000037
【図３７】
2004102315.tif 000038
【図３８】
2004102315.tif 000039
【図３９】
2004102315.tif 000040
【図４０】
2004102315.tif 000041
【図４１】
2004102315.tif 000042
【図４２】
2004102315.tif 000043
【図４３】
2004102315.tif 000044
【図４４】
2004102315.tif 000045
【図４５】
2004102315.tif 000046
【図４６】
2004102315.tif 000047
【図４７】
2004102315.tif 000048
【図４８】
2004102315.tif 000049
【図４９】
2004102315.tif 000050
【図５０】
2004102315.tif 000051
【図５１】
2004102315.tif 000052
【図５２】
2004102315.tif 000053
【図５３】
2004102315.tif 000054
【図５４】
2004102315.tif 000055
【図２】
2004102315.tif 000056
【手続補正書】
【提出日】平成15年12月26日(2003.12.26)
【手続補正１】
【補正対象書類名】明細書
【補正対象項目名】０００３
【補正方法】削除
【補正の内容】
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
　ところで、このようなカメラに対し、レンズが取り付けできるように、カメラの撮影部周辺を特殊な形状に加工する技術がある。しかしながら、このような技術は、撮影部周辺を特殊な形状に加工する必要があるため、カメラを高価格化させることになるという問題や、レンズが個々のカメラ専用となるため、機種の異なるカメラ間での使い回しができない場合があるという問題があった。
　また、このようなカメラに対し、特殊なアダプタを用いてレンズをカメラに取り付ける技術もある。しかしながら、このような技術も、撮影部周辺を特殊な形状に加工する必要があるため、カメラを高価格化させることになるという問題や、部品点数が多くなるため、構造が複雑で取り外しが容易でなく、また持ち運びが不便であるという問題があった。
　さらに、カメラの中には撮影部を保護するカバーがないものがある。このようなカメラの撮影部は、露出しているので、傷がつき易いという問題があった。
　本発明は、これらの課題を解決するものである。
【手続補正４】
【補正対象書類名】明細書
【補正対象項目名】０００６
【補正方法】変更
【補正の内容】
【０００６】
　上記課題を解決するためにこの発明に係るレンズは、撮影機の撮影部に向かって発生する付勢力によって、光を透過するレンズ本体部を撮影機の撮影部に取り付けることを特徴とする。これにより、この発明は、撮影機の形状を問わずに、レンズ本体部を撮影機の撮影部に取り付けることができる。
【手続補正５】
【補正対象書類名】明細書
【補正対象項目名】０００７
【補正方法】変更
【補正の内容】
【０００７】
　なお、付勢力を生じさせる部材は、バネとしてもよい。または、クリップとしてもよい。または、撮影機に被せるカバーとしてもよい。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
　これらの発明は、撮影機の形状を問わずに、レンズ本体部を撮影機の撮影部に取り付けることができるので、カメラの撮影部周辺を特殊な形状に加工することなく、機種の異なるカメラ間でレンズ本体部を使い回しすることができるという効果を有する。また、撮影部を保護するカバーがないカメラに対しては、撮影部を保護する使い回しが可能な（すなわち、使い捨てが可能な）カバーとしても用いることができるという効果も有する。